(57)【要約】【課題】  鎮静及び痛覚脱失用装置に使用するためのバッテリーバックアップ装置を提供する。【解決手段】  該バッテリーバックアップ装置は、バッテリーと；電源と；電源及びバッテリーに接続されているバッテリー制御装置とを備えていることがある。該電源は該バッテリー制御装置に単一方向で接続されていることがある。更に、該バッテリーは該バッテリー制御装置に二方向で接続されていることがある。該バッテリー制御装置は、前記の鎮静及び痛覚脱失用装置を該電源で作動させるべきか又は該バッテリーで作動させるべきかを決定するのを助けることができる。【選択図】        図１
2005102493.tif 000002
【特許請求の範囲】
【請求項１】
鎮静及び痛覚脱失用装置のためのバッテリーバックアップ装置において、
（ａ）バッテリーと；
（ｂ）電源と；
（ｃ）前記バッテリー又は前記電源の選択を決定する、該電源及び該バッテリーに接続されているバッテリー制御装置と
を備えている、上記バッテリーバックアップ装置。
【請求項２】
バッテリーがリチウムイオンで造られている、請求項１に記載のバッテリーバックアップ装置。
【請求項３】
電源が、交流入力と交流／直流コンバータと直流電源とを更に備えている、請求項１に記載のバッテリーバックアップ装置。
【請求項４】
交流入力が、１２０Ｖの壁付きコンセントである、請求項３に記載のバッテリーバックアップ装置。
【請求項５】
交流／直流コンバータが、交流入力を直流電源に変換する、請求項３に記載のバッテリーバックアップ装置。
【請求項６】
電源はバッテリー制御装置に単一方向で接続されており、且つ、バッテリーは該バッテリー制御装置に二方向で接続されている、請求項１に記載のバッテリーバックアップ装置。
【請求項７】
鎮静及び痛覚脱失用装置のためのバッテリーバックアップ装置において、
（ａ）バッテリーと；
（ｂ）交流入力、交流／直流コンバータ、及び直流電源を更に備えている電源と；
（ｃ）前記バッテリー又は前記電源の選択を決定する、該電源及び該バッテリーに接続されているバッテリー制御装置と
を備えている、上記バッテリーバックアップ装置。
【請求項８】
バッテリーがリチウムイオンで造られている、請求項７に記載のバッテリーバックアップ装置。
【請求項９】
交流入力が、１２０Ｖの壁付きコンセントである、請求項７に記載のバッテリーバックアップ装置。
【請求項１０】
交流／直流コンバータが、交流入力を直流電源に変換する、請求項７に記載のバッテリーバックアップ装置。
【請求項１１】
電源はバッテリー制御装置に単一方向で接続されており、且つ、バッテリーは該バッテリー制御装置に二方向で接続されている、請求項７に記載のバッテリーバックアップ装置。
【発明の詳細な説明】
【技術分野】
【０００１】
（関連出願に関する相互参照）
この出願は、２００２年９月１６日出願の米国仮出願シリアルナンバー６０／４１１０７９による利益及び優先権を請求する。この米国仮出願明細書は、言及することによって、そっくりそのまま本明細書に組み入れる。本出願は相互参照しており、言及することによって、１９９９年６月３日出願の同時係属米国シリアルナンバー０９／３２４,７５９明細書を組み入れる。
（発明の分野）
本発明は概して、バッテリーバックアップ装置（battery backup systems）に関する。いっそう詳しく言えば、医療装置（medical devices）と一体化したバッテリーバックアップ装置に関する。
【背景技術】
【０００２】
（発明の背景）
医療装置（とりわけ、麻酔に関連する装置）に連続的に電力を配送することが、患者の安全を確保するのに優先的であることは、長い間、認識されてきた。麻酔をかけられている患者は、電源の異常；交流電源の偶発的破壊；又は、交流電源の破壊を引き起こす他のいずれかの出来事；が生じた場合、そのような医療装置が確実に適切に機能することを期待している。この趣旨で、交流電力損が生じた場合、これらの医療装置が、患者の安全を確保するのに十分な時間の間正常に機能するように、バッテリーが多くの医療装置と相俟って使用されてきた。バッテリーはまた、諸医療装置であって、それら装置の使用が、交流電源が存在しないか又は不十分であることのある場所（例えば、救急車、ホーム（homes）、等）で望まれている該医療装置に対して携帯性（portability）を与えるための手段としても使用されてきた。これらの装置は概して、監視容量（monitoring capacity）の中で機能し、そのために、患者は、交流電源の利用可能性に基づき制限されることに関係なく、意のままに旅行することができる。これらの装置によって、患者及び／又は病院は、交流によってのみ電力が供給される装置に関連する制限を排除することによって、押し付けがましくないやり方で、重態患者のパラメータをモニタリングすることができる。
【発明の開示】
【発明が解決しようとする課題】
【０００３】
医療装置の開発速度が大きくなるにつれて、新たな開発に関する特定ニーズを考慮したバッテリー装置の必要性が生じている。とりわけ、一体化された薬物供給手段及び患者監視装置を備えている鎮静及び痛覚脱失用装置には、特にそのような装置に関連する特異性を考慮したバッテリーバックアップ装置が必要である。例えば、自動薬剤注入に関連する多くの装置は、交流電源が故障した場合、薬剤注入を維持することのできるバックアップ手段を有している。しかし、これらのバックアップ手段では、一体化された鎮静及び痛覚脱失用装置に関連する、薬物供給手段と、例えば酸素供給手段のような特徴との一体化が考慮されていない。現行の諸バッテリー装置は、それらの現在の能力において有効であるが、それらバッテリー装置では、鎮静及び痛覚脱失用装置に関する特定ニーズが考慮されていない。
【０００４】
患者監視装置及び薬物供給装置と一体化している鎮静及び痛覚脱失用装置は、薬物供給と薬物供給に対する患者の生理的反応とに基づくアルゴリズム（algorithms；演算手順）に頼っている。そのようなアルゴリズムは、患者が受けている鎮静及び／又は痛覚脱失に関する特定ニーズを満たすように、薬物供給を調整するのに用いられる。手順は通常、薬物供給の一般的処方計画を、鎮静及び痛覚脱失用装置であって、該処方計画が、予定の処方計画に対する患者の反応に基づいて自動的に又は手動により変更される該装置の中に入力することによって開始する。交流電源が損なわれた場合、患者の反応に関連するデータと、該反応に対応する補正量とは喪失することがある。そのようなデータが喪失した場合、しばしば、該装置を再起動して新たな薬物処方計画を再び確立する必要がある。予定の薬物処方計画はしばしば、薬物供給に対する患者の反応に基づいて変更された処方計画より劣っている。なぜなら、患者は、予定の処方計画に従っている間；及び、患者の十分なデータを再び収集して該装置の調整を行ない、該処方計画を変更する前；投薬過剰又は投薬不足の危険状態に置かれることがある。予定の薬物処方計画を確立することは、患者がほとんど危険状態にない場合、手順の初期には効果的であるが、該手順がしばらくの間進行した後、患者の意識及び／又は患者の過剰鎮静の危険性は遥かに重大となる。従って、鎮静及び痛覚脱失用装置に関連する種々のパラメータに対する、記録された患者の反応を確実に保持するための装置並びに方法の必要性が生じている。
【０００５】
ソフトウェア；ハードウェア；及び／又は、フェイルセイフ（fail-safe；二重に安全装備をした）モジュールの試験；に関連する必要な起動時間に起因して、監視装置及び／又は薬物供給手段が利用できない場合、交流電源が損なわれたことに起因して鎮静及び痛覚脱失用装置を再起動させることはまた、遅れ時間（lag time）が生じる結果になるかも知れない。鎮静及び痛覚脱失用装置は、ソフトウェアの機能性を確実にするために、該鎮静及び痛覚脱失用装置に関連する試験用プログラムモジュールであって、薬物供給装置及び／又は患者監視装置が使用可能となる前に作動されている該モジュールを通常備えている。患者の安全性を確保することは必要であるものの、装置の起動に関連する諸手順が、危険な回数の医療処置が行なわれる間に実施されるなら、患者を危険にさらすかも知れない。モニタリング及び／又は薬物供給に関し時間が経過することによって、患者に対する投薬不足が生じる結果となるか；及び／又は、別のやり方であれば記録されていたと思われる、重態患者の症状の出現を医師が見過ごす結果となることがある。従って、一次交流電源が損なわれた場合、薬物供給手段の機能性を保持するための及び／又は該機能性を監視するための装置と方法とを提供することは好都合であろう。
【課題を解決するための手段】
【０００６】
（発明の要約）
本発明は、鎮静及び痛覚脱失用装置に関連する種々のパラメータに対する、記録された患者の反応を確実に保持するための装置並びに方法を提供する。本発明は更に、一次交流電源が損なわれた場合、鎮静及び痛覚脱失用装置に関連する薬物供給手段の機能性の保持及び／又はモニタリングを行うための装置並びに方法を提供する。いっそう詳しく言えば、本発明は、鎮静及び痛覚脱失用装置と一体化したバッテリーバックアップ装置を提供する。本発明によるバッテリーバックアップ装置は、鎮静及び痛覚脱失用装置と一体化しており、鎮静及び痛覚脱失用装置に関連する特定の特異性を考慮している。
本発明はまた、交流電源とは関係なく移動することのできる鎮静及び痛覚脱失用装置を提供する。本発明は更に、鎮静及び痛覚脱失用装置に関連する種々のパラメータに対する、記録された患者の反応を確実に保持するための装置並びに方法を提供する。
【発明を実施するための最良の形態】
【０００７】
（発明の詳細な記述）
本発明の詳細な説明の前に、本発明は、その用途又は使用方法が、添付の諸図面及び説明に例示されている、諸構成要素の構成及び配置の細部に限定されないということに注目すべきである。本発明の説明に役立つ諸具体例は、他の諸具体例、変形及び部分的修正の中で実施することができるか、或いはそれらに組み込むことができ；また、種々のやり方で実行又は実施することができる。更に、別に指摘しない限り、本明細書で使用する用語及び表現は、本発明の説明に役立つ諸具体例を記述する目的で、読者に好都合であるように選定した。また、それら用語及び表現は、本発明を限定する目的で選定されていない。
【実施例１】
【０００８】
図１は、ユーザーインタフェース（user interface）１２［ヒックル（Hickle）等によって２００１年１１月１日に出願された米国特許出願シリアルナンバー６０／３３０,８５３明細書に記述されているもの］と、ソフトウェアで制御されている制御装置１４と、周辺装置１５と、バッテリーバックアップ装置１６と、外部通信装置（external communications）１０と、患者インタフェース１７と、薬物供給手段１９とを有する鎮静及び痛覚脱失用装置２２備えている、本発明の１つの具体例であって、鎮静及び痛覚脱失用装置２２が、患者１８に鎮静及び／又は痛覚脱失を与えるためにユーザ１３によって操作される該具体例を描いているブロック線図を例示する。鎮静及び痛覚脱失用装置２２の例は、１９９９年６月３日に出願された米国特許出願シリアルナンバー０９／３２４,７５９明細書に開示されており、該米国特許出願明細書によって与えることができる。該米国特許出願明細書は、言及することによってそっくりそのまま本明細書に組み入れる。
【０００９】
図２は、電源４０を備え、交流入力４５及び／又は交流／直流コンバータ７１を更に備えているバッテリーバックアップ装置１６であって、交流入力４５の電力が交流／直流コンバータ７１に供給される該バッテリーバックアップ装置１６の１つの具体例を例示する。交流入力４５は、例えば、標準１２０Ｖの壁付きコンセントであっても良いが、交流電圧を生じる他の電源は本発明と呼応する。交流／直流コンバータ７１は、例えば、１２０Ｖの交流を２８Ｖの直流出力に変換することができるが、他の直流電圧出力は本発明と呼応する。交流／直流コンバータ７１からの直流出力は、本明細書において、第１の直流電源（DC power supply；ＤＣ供給電力）４６と呼ぶ。バッテリーバックアップ装置１６は、制御装置１４に送信される信号であって、交流入力４５が存在していること；及び／又は、交流入力４５が鎮静及び痛覚脱失用装置２２の完全な機能性を維持するのに十分な電圧を有していること；を示している該信号を生じる交流出力６０を更に備えている。
【００１０】
電源４０は、直流電源４６を更に備えている。本発明の１つの具体例において、直流電源４６は、バッテリー制御装置３２であって、直流／直流コンバータ（図示せず）だけでなくバッテリー充電器（図示せず）をも備えている該バッテリー制御装置３２に供給される。直流電源４６は、直流／直流コンバータであって、電圧を、例えば、直流電源４６に関連する２８Ｖから２６．３Ｖに低下させて、低下した電圧を用いて、バッテリー充電器によってバッテリー３３を充電する該コンバータを通過することがある。該バッテリー充電器は、電流制限用電源であって、バッテリー制御装置３２に関連する直流／直流コンバータの出力電圧を変えることによって、電流が一定に保持される該電源であることがある。バッテリー充電器からバッテリー３３に送り出される電流は、バッテリー３３が十分に充電されるまでは一定に維持されることがあり、その場合、直流／直流コンバータに関連する出力電圧は一定に維持されることがある。バッテリー３３は、リチウムイオンバッテリー；密閉式鉛蓄電池；又は、鎮静及び痛覚脱失用装置２２のためにバックアップ用直流電源を与える他の適切な手段；であることがある。本発明は、バッテリー制御装置３２に関連するバッテリー充電器及び／又は直流／直流コンバータを部分修正して、種々のバッテリーの特異性を考慮する段階を包含する。その場合、鎮静及び痛覚脱失用装置２２と共に、いずれかの適切なバッテリーを使用することができる。バッテリー３３は、いずれかの適切な充電寿命を特徴とする。その場合、バッテリー３３は、携帯用又は院内の鎮静及び痛覚脱失用装置２２と一緒に使用するために、別の仕方で設計することができる。
【００１１】
直流電力は、第２の直流電源７２によるバッテリー３３からの出力である場合がある。この場合、第２の直流電源は、バッテリー制御装置３２を通って第１のＯＲ論理ゲート６１まで経路が定められることがある。第１のＯＲ論理ゲート６１は、ＯＲ論理ゲート及びＯリングダイオード対、又は他の適切な電気的接合（electrical juncture）である場合がある。本発明の１つの具体例において、バッテリー制御装置３２は、電流センサーを備えている。この場合、バッテリー３３を充電するのに使用される直流電圧と、バッテリー３３の直流電圧出力とはモニタリングすることができる。バッテリー３３の残存電荷、バッテリー３３の充電、バッテリー３３の出力、及び／又はバッテリーの推定寿命に関するデータは、バッテリー制御装置の出力装置７３を経由して出力することができる。この場合、バッテリー制御装置の出力装置７３によって、データは制御装置１４に送信する。本発明は、バッテリー通信信号装置４４を更に備えている。この場合、バッテリー通信信号装置４４は、バッテリーのプロフィルに関するバッテリー制御装置３２への入力データ；較正定数；又は、バッテリー３３の適切な充電及び／又は操作を行なうのに必要な他の入力データ；を有している。
【００１２】
本発明の１つの具体例において、第１のＯＲ論理ゲート６１は、第１の直流電源４６又は第２の直流電源７２が、鎮静及び痛覚脱失用装置２２に一次電力を供給するのを可能にする。交流入力４５から十分な交流電力が得られれば、第１の直流電源４６の電圧は、第２の直流電源７２の電圧よりも大きく、且つ、第１の直流電源４６は、鎮静及び痛覚脱失用装置２２のための一次電源として機能する。交流入力４５から十分な交流電力が得られない場合、第２の直流電源７２が、鎮静及び痛覚脱失用装置２２のための一次電源として機能することがある。
バッテリーバックアップ装置１６は、電源（power supply；供給電力）５３を更に備えている。この場合、電源５３は、第１の直流電源４６又は第２の直流電源７２からの電力である場合がある。電源５３は、オン／オフスイッチ６７と連結している。この場合、オン／オフスイッチ６７は、鎮静及び痛覚脱失用装置２２が適切に作動しているとき、電源５３からの電力送出が鎮静及び痛覚脱失用装置２２に電力を供給するのを可能にし；また、鎮静及び痛覚脱失用装置２２が適切には機能していないとき、可変電源５３から鎮静及び痛覚脱失用装置２２へ電力を送り出さないことを可能にする。オン／オフスイッチ６７は、半導体スイッチ；リレー（relay；継電器）；半導体リレー；ＭＯＳＦＥＴ（metal oxide semiconductor field-effect transistor）；又は、可変電源５３から鎮静及び痛覚脱失用装置２２への電力送出を制御する他のいずれかの適切な手段；であることがある。
【００１３】
オン／オフスイッチ６７は、ソフトウェアの機能停止、ハードウェアの機能停止、若しくは他の潜在的に危険な出来事が生じる場合；又は、ユーザ１３の判断力によって；切ることができる。そのような機能停止は、フェイルセイフ・モジュール（fail safe module）、ソフトウェア検診監視装置からの、若しくは鎮静及び痛覚脱失用装置２２の機能性のモニタリングを行なう他のいずれかの源からの信号５０によるか；又は、ユーザ１３によってプログラム化されたユーザーインタフェース１２からの信号５４によって；電力オン／オフ装置５１に示されることがある。信号５０は、二進法伝送、アナログ伝送、又はそれら両方である場合がある。電力オン／オフ装置５１は、プログラム化することのできる制御装置；マイクロプロセッサー（microprocessor；超小型演算装置）；一連の論理ゲート；又は、鎮静及び痛覚脱失用装置がうまく作動しない場合、鎮静及び痛覚脱失用装置２２からの信号を受信して、オン／オフスイッチ６７を切り替えるのに適した他のいずれかの手段；である場合がある。電力オン／オフ装置５１は、アクチュエータ信号５５によってオン／オフスイッチ６７をオン又はオフに切り替えることができる。この場合、アクチュエータ信号５５は、トランジスタ・トランジスタ論理（ＴＴＬ）信号である場合があり、オン／オフスイッチ６７はＭＯＳＦＥＴ（モス電界効果トランジスタ）である。医療処置の始めに、電源５３はオン／オフスイッチ６７を通過することがある。ＴＴＬアクチュエータ信号５５は通常、適切に機能する鎮静及び痛覚脱失用装置の起動時に存在する。ＭＯＳＦＥＴの形態の、オン／オフスイッチ６７と連結しているＴＴＬアクチュエータ信号５５のインタフェース（interface）は、大きいＴＴＬ信号が存在する限り、可変電源５３からの電力がオン／オフスイッチ６７を通過するのを可能にする。信号装置５０が、鎮静及び痛覚脱失用装置がうまく作動しないことを示す場合、電力オン／オフ装置５１は、アクチュエータ信号５５の電圧を低下させ、そうすることによって、ＭＯＳＦＥＴを横切って電力が送り出されないようになる。オン／オフスイッチ６７とアクチュエータ信号５５の他の諸具体例及び組み合わせが考えられ、それらは本発明と合致する。
【００１４】
本発明の１つの具体例において、電源（power supply；供給電力）５８は、オン／オフスイッチ６７を通過する電流を包含する。その場合、電源５８は、直流／直流コンバータ６８及び／又は第２のＯＲ論理ゲート６４を流れる。例えば、直流／直流コンバータ６８は、電源５８に関連する２８Ｖの電力を、１２Ｖ；５Ｖ；又は、鎮静及び痛覚脱失用装置２２に関連するハードウェア及び／若しくはソフトウェアを動かすのに必要な他のいずれかの適切な電圧；に変換する。本発明は、複数の直流／直流コンバータを備えている。その場合、電源５８の電圧は、それら直流／直流コンバータによって、複数の異なる電圧であって、出力６５が、鎮静及び痛覚脱失用装置２２に関連する１つ又は複数の装置（例えば、患者インタフェース１７）に適した電圧である該電圧に下げることができる。
本発明の１つの具体例において、第２のＯＲ論理ゲート６４は、Ｏリングダイオード対である。この場合、第２のＯＲ論理ゲート６４は、入力として、電源５８及び電源４６を受け入れる。本発明の１つの具体例において、最大電圧を有する電源入力は、第２のＯＲ論理ゲート６４を通って直流／直流コンバータ６９へ進む。この場合、交流入力４５由来の電源４６又は電源５８は通常、バッテリー３３由来の電源５８に比べて優勢である（dominant；支配的である）。
【００１５】
本発明は、直流／直流コンバータ６９を更に備えている。この場合、直流／直流コンバータ６９は、第２のＯＲ論理ゲート６４を通過する直流電力を、インタフェース信号装置５９を経由してユーザーインタフェース１２に電力を供給するのに必要な適切な電圧に変換することができる。直流／直流コンバータ６９はまた、基本電力信号装置（basic power signal）５２によって待機モードになっている鎮静及び痛覚脱失用装置２２に関連するソフトウェア及び／又はハードウェアの基本的機能性を得るのに必要な電圧をも提供する。本発明の１つの具体例において、オン／オフスイッチ６７を、電力オン／オフ装置５１によって切った場合、鎮静及び痛覚脱失用装置２２が再起動することができるように、鎮静及び痛覚脱失用装置２２は依然として、ユーザーインタフェース１２及び／又は他の基本装置機能（basic system）の中に依然として十分な電力を保持することができる。直流／直流コンバータ６９は、電源４６又は電源５８を、適切な如何なる電圧（例えば、５Ｖ）にも変換することができる。本発明は、複数の直流／直流コンバータを更に備えている。その場合、それら直流／直流コンバータは、鎮静及び痛覚脱失用装置２２の待機モード又は電力低下モードに関連するあらゆるソフトウェア及び／又はハードウェアに電力を供給するのに適した如何なる電圧でも供給することができる。例えば、装置がうまく作動しない場合、電力オン／オフ装置５１は、可変電源５３から鎮静及び痛覚脱失用装置２２に電力を送り出すことができないことがある。しかし、鎮静及び痛覚脱失用装置２２に関連するソフトウェアは、適切に停止するために、動力が供給されている短い時間を必要とすることがある。従って、本発明の１つの具体例において、基本電力信号装置５２は、鎮静及び痛覚脱失用装置２２に関連するハードウェア及び／又はソフトウェアの安全な電力低下を確保するのに十分な電力を供給する。
【実施例２】
【００１６】
図３は、鎮静及び痛覚脱失用装置２２と一体化されたバッテリーを使用するための方法１００の１つの具体例を例示する。方法１００は、鎮静及び痛覚脱失用装置２２と一体化しているバッテリー３３を与える段階を包含する開始段階１０１（本明細書では、段階１０１と呼ぶ）を包含する。本発明の１つの具体例において、方法１００の段階１０２は、交流入力４５を鎮静及び痛覚脱失用装置２２に送り出す段階であって、交流入力４５が、例えば標準の１２０Ｖ壁付きコンセントであることがあるものの、他の諸交流入力は本発明と合致する該段階を包含する。本発明は、交流入力４５が存在する場合、バッテリー制御装置３２によってバッテリー３３を充電する段階を更に包含する。
【００１７】
方法１００は、交流入力４５が医療処置の期間の全体に渡って存在しているか否かを確認する段階を更に包含する。交流入力４５が破壊されていない場合、方法１００は、段階１０２へ進んで、鎮静及び痛覚脱失用装置２２は、交流入力４５に基づいて作動し続けるであろう。交流入力４５が破壊されている場合、方法１００は、電源の破壊に対する警報応答を包含する段階１０６へ進むことができる。段階１０６の警報応答は、交流入力４５の破壊に関する可視的表示器；交流入力４５の破壊に関する音声表示器；及び／又は、該電力の破壊をユーザ１３に通報する他のいずれかの適切な手段；である場合がある。段階１０６の警報応答は、ユーザーインタフェース１２によってユーザ１３に提供することができる。
【００１８】
交流入力４５が破壊される場合、方法１００はまた、質問（query）１０４にも進む。この場合、質問１０４は、直流電力をバッテリー３３から得ることができるか否かを確認する段階を包含する。不十分な充電又は不調に起因して、直流電力をバッテリー３３から得ることができない場合、方法１００は、最終段階１０８に進む。十分な直流電力が存在する場合、方法１００は、段階１０５に進むことができる。この場合、段階１０５は、バッテリー３３からの直流電力を用いて、鎮静及び痛覚脱失用装置２２の操作性を維持する段階を包含する。直流電力をバッテリー３３から得ることができる場合、本発明は、バッテリー３３に残存している推定充電寿命；及び／又はバッテリー３３の機能性に関する他の諸因子；をユーザ１３に警告する段階を更に包含する。段階１０５は、鎮静及び痛覚脱失用装置２２の機能性を可変モード状態に維持する段階を更に包含する。この場合、バッテリーバックアップ装置１６は、交流入力４５が破壊した場合、患者１８の安全性を確保するのに十分な時間をユーザ１３に提供するように設計することができる。例えば、バッテリー３３は、１０分間の充電寿命（charge life）を有することができる。最初の５分間の後、鎮静及び痛覚脱失用装置２２は、中程度の機能性（例えば、患者をモニタリングすること）しか有していないことがある。その場合、薬物供給手段１９は無能力になっている。複数のバッテリーモードを与えることによって、バッテリー３３の寸法を小さくすることができ、同時に、ユーザ１３は患者１８の安全性を確保することが可能になる。本発明は、複数モードのバッテリー３３操作を与える段階を包含する。この場合、バッテリー３３は、携帯用の鎮静及び痛覚脱失用装置であって、バッテリー３３の充電寿命が実質的にいっそう長くなければならない該装置の中で使用されるように；又は、院内の鎮静及び痛覚脱失用装置であって、適切な如何なる充電寿命をも有する適切な如何なるバッテリー３３をも備えることのできる該装置のために使用されるように；構成することができる。
【００１９】
本発明の１つの具体例において、方法１００は、質問１０７を更に包含する。この方法において、質問１０７は、交流入力４５の少なくとも１つの破壊の後に、交流入力４５を得ることができるようになったか否かを確認する段階を包含する。本発明の１つの具体例において、交流入力４５の破壊の後に、交流入力４５を得ることができるようになっているならば、方法１００は、段階１０２に進む。この場合、鎮静及び痛覚脱失用装置２２は交流入力４５によって作動するであろう。方法１００が、質問１０７から段階１０２に進むならば、交流入力４５はまた、第２の電源異常又は交流入力４５の他の破壊が生じる場合、バッテリー３３を充電するためにも使用することができる。交流入力４５を得ることができないならば、方法１００は段階１０５に進む。この場合、鎮静及び痛覚脱失用装置２２は、バッテリー３３又は他の適切ないずれかの直流電源によって、適切な如何なる期間の間保持することも可能である。
【００２０】
本発明の更なる具体例において、交流入力４５が破壊されているならば、方法１００は段階１０２に進む。この場合、ユーザ１３は、バッテリー３３の電荷が消失前、バッテリー３３からの直流電力に頼って患者の安全を確保する。一旦、バッテリー３３の充電寿命が切れてしまったならば、方法１００は最終段階１０８に進む。この場合、段階１０８は、鎮静及び痛覚脱失用装置２２に関連する全ての装置を非活性化することを包含する。
鎮静及び痛覚脱失用装置２２の幾つかの具体例は携帯可能な容量で使用することができるということが考えられる。この場合、鎮静及び痛覚脱失用装置２２は、装置の機能性を保持するための直流電力のみに頼ることができる。そのような携帯可能な具体例において、バッテリー３３の残存充電寿命は、処置期間の全体に渡って、ユーザ１３に示すことができる。バッテリー３３はまた、患者１８の安全を確保するために、複数のモードに構成することもできる。この場合、例えば、バッテリー３３の充電寿命が臨界レベル以下に低下した時、バッテリーバックアップ装置１６が臨界の警戒警報を示す。携帯可能な鎮静及び痛覚脱失用装置２２のバッテリー３３は、交流入力４５によって再度充電することができる。バッテリー３３は、更に又は代替的に、交換することができる。
【００２１】
本発明の具体的な実施態様は以下の通りである。
（１）鎮静及び痛覚脱失用装置に電力を供給する方法において、（ａ）電源から前記の鎮静及び痛覚脱失用装置に電力を供給する段階と；（ｂ）前記電源の破壊を検査する段階と；（ｃ）前記破壊が生じたとき、バッテリーから前記の鎮静及び痛覚脱失用装置に電力を供給する段階と；（ｄ）前記破壊が解消したとき、前記バッテリーから前記電源に切り換え復帰する段階とを包含する、上記電力供給方法。
（２）電源の破壊を検査する段階は、該破壊が生じたとき、警鐘を鳴らす段階を更に包含する、実施態様（１）に記載の方法。
（３）破壊が生じたとき、バッテリーから鎮静及び痛覚脱失用装置に電力を供給する段階は、該バッテリー源の使用可能性を検査する段階を更に包含する、実施態様（１）に記載の方法。
（４）バッテリー源の使用可能性を検査する段階は、該バッテリー源が使用できないとき、鎮静及び痛覚脱失用装置を停止させる段階を更に包含する、実施態様（３）に記載の方法。
【００２２】
本発明は、幾つかの具体例を記述することによって例示してきたが、本発明の趣旨及び特許請求の範囲をそのような細部に限定することも制限することも、本出願人の意図するものではない。当業者には、本発明の範囲から逸脱することなく、多くの変形、変更及び置き換えが思い浮かぶであろう。更に、本発明に関連する各々の構成要素の構造は、該構成要素によって行なわれる機能を提供するための１つの手段として代替的に記述することができる。従って、本発明は本発明の趣旨及び特許請求の範囲によってのみ限定されることが意図されている。
【図面の簡単な説明】
【００２３】
【図１】本発明による、バッテリーバックアップ装置を有している鎮静及び痛覚脱失用装置の１つの具体例を例示する。
【図２】本発明による、バッテリーバックアップ装置の１つの具体例のいっそう詳しい図を例示する。
【図３】本発明による、鎮静及び痛覚脱失用装置と一体化したバッテリーバックアップ装置を使用するための方法の１つの具体例を例示する。
【符号の説明】
【００２４】
１０  外部通信装置
１２  ユーザーインタフェース
１３  ユーザ
１４  制御装置
１５  周辺装置
１６  バッテリーバックアップ装置
１７  患者インタフェース
１８  患者
１９  薬物供給手段
２２  鎮静及び痛覚脱失用装置
３２  バッテリー制御装置
３３  バッテリー
４０  電源
４４  バッテリー通信信号装置
４５  交流入力
４６  第１の直流電源
５０  信号装置
５１  電力オン／オフ装置
５２  基本電力信号装置
５３  電源
５４  信号
５５  アクチュエータ信号
５８  電源
５９  インタフェース信号装置
６０  交流出力
６１  第１のＯＲ論理ゲート
６４  第２のＯＲ論理ゲート
６５  出力
６７  オン／オフスイッチ
６８  直流／直流コンバータ
６９  直流／直流コンバータ
【図１】
2005102493.tif 000003
【図２】
2005102493.tif 000004
【図３】
2005102493.tif 000005
【外国語明細書】
2005102493000001.pdf